(57)【要約】      （修正有）【課題】エア・コンディショナー室外機の排出する熱風は、都市部のヒートアイランドを増長していると言われている。また、電力を消費し環境破壊の要因と言われている。そこで、エア・コンディショナーの室外機からの放熱を低減し、かつ省エネルギーを行い、環境調和を実現する。【解決手段】エア・コンディショナー屋外機の熱交換部に部分的に水を間欠滴下し、室外機の熱風温度を外気温に接近させるとともに、電力の省エネルギーを図る。水を微量間欠滴下する方法が気化熱の効果があり、水の浪費も防げる。間欠滴下方法は、バブルによる手動、または外気温と排出温を測定しマイコンによるファジーなどで自動制御を行う。また、水は風呂の残り湯や雨水保管水等を使用する。自動車の場合、ラジエータの一部分に水を間欠滴下し、ラジエータから排出される熱風温度を外気温に接近させる。ラジエータが加熱状態の時、稼動する。【選択図】図１
2009047328.tif 000002
【特許請求の範囲】
【請求項１】
冷房用機器には、エア・コンディショナー、扇風機、冷風機がある。その中の エア・コンディショナーが広く用いられている。エア・コンディショナーは、気温が高温時は熱風を室外に出す、その際に電力を消費し環境破壊の要因と言われている。対策として、エア・コンディショナー屋外機の熱交換部分に水を間欠滴下し、室外機の熱風温度を外気温に接近させるとともに、電力の省エネルギーを図るものである。水を噴水状態で多量に噴霧・滴下するものは気化熱の効果はうすれ、水を少量間欠滴下する方法の方が気化熱の効果が大きい。かつ水の浪費も防げる。また、水は風呂の残り湯や雨水保管水等を使用すれば、水不足も対応できることを特徴とする。
【請求項２】
夏季に、自動車の排出する熱はエア・コンディショナーを用いるため多量となり、都市においてはヒートアイランドの要因となっている。対策として、熱交換部であるラジエータ部分に水を間欠滴下し、気化熱によりラジエータから排出される熱風温度を外気温に接近させる。ラジエータが加熱状態の時に稼動させれば対応可能であることを特徴とする。
【発明の詳細な説明】
【技術分野】
【０００１】
本発明はエア・コンディショナーにおいて、電力の省エネルギーと室外機の熱風温度を外気温に接近させるエア・コンディショナー室外機の水間欠滴下方式に関する。
【背景技術】
【０００２】
従来、エア・コンディショナー室外機の熱交換機は、夏はフロンなどによる気化熱をファンによって放熱していた。気温が高いときは熱風が室外機から出て、都市におけるヒートアイランド要因のひとつに挙げられていた。道路側に室外機が設置されている場合に、通行人に熱風が直接当たることになる。また、夏の消費電力が大きくなる要因になっていて、電力会社は夏の消費電力のために多額の設備投資をせざるを得ないため、春・秋は遊休設備が増えた状態になるのが避けられなかった。
【０００３】
室外機の熱交換部に水を少量滴下すると、気化熱で冷却されることはよく知られている技術であるが、活用されないまま本日に至っている。  
【特許文献１】特開平１０−２４６５１９号  広報
【発明の開示】
【発明が解決しようとする課題】
【０００４】
以上に述べた特許公開、熱交換式空調装置は、実際には実施されていない。この広報では水の噴霧・滴下をポンプで行うようになっていて、３箇所から噴水している図がある。必要な水量は１分間に１リットルとして、一時間に６０リットル、５時間では３００リットル必要である。もし夏の渇水期に各家庭で使用すると、たちまち水不足におちいると予想される。また、多量に水を噴霧すると気化熱の効果は期待できず、水冷状態になってしまい効果は半減してしまう。これが熱交換式空調装置を活用されない理由と推定される。しかしながら、エア・コンディショナー室外機の排出する空気の温度は、夏は外気温より高温になり、多数のエア・コンディショナーが稼動された場合は、外気温はさらに上昇しヒートアイランド状態になる。また夏の必要電力は大きくなり、電力会社の設備投資増強が必要となる。
【０００５】
本発明は、このような従来の構成が有していた問題を解決しようとするものであり、エア・コンディショナーの室外機からの放熱を低減し、かつ省エネルギーを行い、環境調和を実現することを目的とするものである。
【課題を解決するための手段】
【０００６】
本発明は、エア・コンディショナー室外機の熱交換部に水を間欠的に、ポンプを用いないで熱交換部の上部約２箇所へ水を微量に滴下することにより、排出する空気の温度を外気温に近づける。ヒートアイランドのような環境破壊は低減され、かつ熱交換効率のアップにより夏の必要電力も低減され、電力会社の設備投資も軽減される。エア・コンディショナー室外機の熱交換部に、ポンプを用いず落差などで間欠的に水を微量に滴下する構造とする。
【発明の効果】
【０００７】
上述したように、図１本発明のエア・コンディショナー室外機の水間欠滴下滴下方式は、室外機の熱交換部に水を微量に滴下し、放熱の温度を外気温に接近させるとともに、消費電力を軽減させるものである。
【発明を実施するための最良の形態】
【０００８】
以下、本発明の実施の形態を図１に基づいて説明する。
図においては、１はエア・コンディショナー室外機で、内部に熱交換部３がある。この熱交換部に水滴下の配管４を取付け、水タンク２に連結される。この配管は室外機の上蓋に穴を開け、熱交換部３の上の２箇所程度に設置する。水の間欠滴下は手動でバルブを調整するか、熱交換部へ入る空気と出る空気温度を測定し、マイコンでファジーなどによる自動制御を行ってもよい。水タンクは雨水や風呂の残り湯を入れるが、ポンプで入れるかバケツで一定量いれ、その後は専用容器で自動的に追加する。専用容器は水の出入り口が一箇所で、チューブ状のものが付いた蓋が付き、水タンクに下向きに専用容器を設置することにより、簡単に自動注水が可能となる。。この専用容器は複数設置すると小型軽量にでき持ち運びが簡単になる。水の滴下をポンプで行うと、水は過剰になりやすく、水の気化熱ではなく水冷になってしまい、水温が高い夏は効果が低減する。熱交換部の一部でも少量に間欠滴下すると気化熱の効果により、熱交換部は全体的に冷却され、効果は十分である。
【０００９】
自動車および電車の場合は、ラジエータである熱交換部にエア・コンディショナーと同様に水を微量間欠滴下すれば、同様な効果が得られる。
【００１０】
以下、上記構成の動作を説明する。エア・コンディショナー室外機の上蓋の一部に穴を開け、もしくは上蓋を取外し、水の滴下装置を取付ける。熱交換部に水が間欠滴下されると、水は熱交換部の熱やファンの風流で蒸発する。その気化熱で熱交換部は外気温に接近する。水は熱交換部の一部にかかれば、熱交換部は金属でつながっているので全体が同一温度に接近し、効果は十分である。その際、電子部品に雨水が浸入しないような構造にする。水はタンクを置き、風呂の残り湯や雨水保管タンクなどからポンプや手作業で注水する。エア・コンディショナー室外機の排出温度や外気温を測定し、間欠滴下の水量をマイコンによるファジーなどで自動制御を行ってもよい。
【図面の簡単な説明】
【００１１】
【図１】本発明のエア・コンディショナー室外機の水間欠滴下方式一実施例を示す図。
【符号の説明】
【００１２】
１  エア・コンディショナー室外機本体
２  水タンク
３  熱交換部
４  水滴下の配管  
【図１】
2009047328.tif 000003